(57)【特許請求の範囲】
【請求項１】
受信した受信画情報を指定された中継宛先へ送信する中継手段と前記受信画情報を記録出力する出力手段とを備えたファクシミリ装置であって、
前記中継手段により前記中継宛先へ前記受信画情報を送信する際に、前記受信画情報を前記出力手段により記録出力するか否かを設定する設定手段を備え、
前記中継宛先へ前記受信画情報を正常に送信しなかった場合には、前記設定手段により前記受信画情報を記録出力しないように設定されているときであっても、前記受信画情報を前記出力手段により記録出力することを特徴とするファクシミリ装置。
【請求項２】
前記中継宛先へ前記受信画情報を正常に送信しなかった場合には、さらに、その旨を通知するための第１の不達レポートを作成し、その第１の不達レポートとともに前記受信画情報を前記出力手段により記録出力することを特徴とする請求項１記載のファクシミリ装置。
【請求項３】
受信した受信画情報を指定された中継宛先へ送信する中継手段と前記受信画情報を記録出力する出力手段とを備えたファクシミリ装置であって、
前記中継手段により前記中継宛先へ前記受信画情報を送信する際に、前記受信画情報を前記出力手段により記録出力するか否かを設定する設定手段を備え、
前記中継宛先の情報を取得しなかった場合には、前記設定手段により前記受信画情報を記録出力しないように設定されているときであっても、前記受信画情報を前記出力手段により記録出力することを特徴とするファクシミリ装置。
【請求項４】
前記中継宛先の情報を取得しなかった場合には、さらに、その旨を通知するための第２の不達レポートを作成し、その第２の不達レポートとともに前記受信画情報を前記出力手段により記録出力することを特徴とする請求項３記載のファクシミリ装置。
【発明の詳細な説明】
【０００１】
【発明の属する技術分野】
本発明は、受信した受信画情報を指定された中継宛先へ送信する中継手段と前記受信画情報を記録出力する出力手段とを備えたファクシミリ装置に関する。
【０００２】
【従来の技術】
従来より、中継機能を備えたファクシミリ装置が実用されている。このファクシミリ装置では、他のファクシミリ装置から中継依頼を受けると、そのときに受信した画情報を蓄積し、通知された中継宛先へ発呼して、蓄積した画情報を送信する。
【０００３】
また、中継送信が正常に終了しなかったときには、その旨を通知するための不達レポートを作成し、記録出力することで、自端末のユーザに対して、他のファクシミリ装置から依頼された中継送信が失敗した旨を通知できるようにしている。
【０００４】
ここで、中継依頼の方法は、例えば、グループ３ファクシミリ伝送手順の伝送前手順において、中継依頼を指定する情報と、中継宛先を、中継装置に登録されている宛先情報（例えば、ワンタッチダイアル番号や短縮ダイアル番号など）を利用して送信する方法がある。あるいは、中継装置にＦコードを適用する受信ボックス機能を備えて中継宛先を登録した中継ボックスを設け、中継依頼装置では、伝送前手順において、中継ボックスに登録されているＦコードを指定する方法などがある。
【０００５】
【発明が解決しようとする課題】
しかしながら、このような従来装置には、次のような不都合を生じていた。
【０００６】
すなわち、中継装置で中継送信を行った際、いずれかの中継宛先への送信が正常に終了しなかったときには、その旨を通知するための不達レポートを作成し、この不達レポートを記録出力するようにしていた。
【０００７】
したがって、従来、中継送信が失敗した旨を、中継装置のユーザは知ることができる。
【０００８】
一方、中継送信にかかる画情報は、中継装置の設定により、記録出力された後に消去されたり、あるいは、記録出力されずに消去される。このような設定機能は、「自機出力オン／オフ」機能という。
【０００９】
そのため、自機出力オフが設定されている場合、中継送信が失敗したとき、保存されている画情報が記録出力されることなく消去されるので、中継依頼装置側へ連絡して、再度、中継依頼送信を行うように通知する必要があり、非常に手間がかかるという不具合を生じていた。
【００１０】
本発明は、かかる実情に鑑みてなされたものであり、中継送信を円滑に継続できるようにしたファクシミリ装置を提供することを目的としている。
【００１１】
【課題を解決するための手段】
本発明は、受信した受信画情報を指定された中継宛先へ送信する中継手段と前記受信画情報を記録出力する出力手段とを備えたファクシミリ装置であって、前記中継手段により前記中継宛先へ前記受信画情報を送信する際に、前記受信画情報を前記出力手段により記録出力するか否かを設定する設定手段を備え、前記中継宛先へ前記受信画情報を正常に送信しなかった場合には、前記設定手段により前記受信画情報を記録出力しないように設定されているときであっても、前記受信画情報を前記出力手段により記録出力するようにしたものである。
【００１２】
また、前記中継宛先へ前記受信画情報を正常に送信しなかった場合には、さらに、その旨を通知するための第１の不達レポートを作成し、その第１の不達レポートとともに前記受信画情報を前記出力手段により記録出力するようにしたものである。
【００１３】
また、受信した受信画情報を指定された中継宛先へ送信する中継手段と前記受信画情報を記録出力する出力手段とを備えたファクシミリ装置であって、前記中継手段により前記中継宛先へ前記受信画情報を送信する際に、前記受信画情報を前記出力手段により記録出力するか否かを設定する設定手段を備え、前記中継宛先の情報を取得しなかった場合には、前記設定手段により前記受信画情報を記録出力しないように設定されているときであっても、前記受信画情報を前記出力手段により記録出力するようにしたものである。
【００１４】
また、前記中継宛先の情報を取得しなかった場合には、さらに、その旨を通知するための第２の不達レポートを作成し、その第２の不達レポートとともに前記受信画情報を前記出力手段により記録出力するようにしたものである。
【００３０】
【発明の実施の形態】
以下、添付図面を参照しながら、本発明の実施の形態を詳細に説明する。
【００３１】
図１は、本発明の一実施例にかかるネットワークシステムを示している。
【００３２】
同図において、ローカルエリアネットワークＬＡＮには、複数のパーソナルコンピュータ装置ＰＣ１〜ＰＣｎ、メールサーバ装置ＳＭ、および、ネットワークファクシミリ装置ＦＸが接続されているとともに、ルータ装置ＲＴを介してインターネットへ接続されている。したがって、パーソナルコンピュータ装置ＰＣ１〜ＰＣｎ、メールサーバ装置ＳＭ、および、ネットワークファクシミリ装置ＦＸは、インターネットを介し、他の適宜な端末装置との間でデータをやりとりすることができる。
【００３３】
ここで、メールサーバ装置ＳＭは、ローカルエリアネットワークＬＡＮに接続されているパーソナルコンピュータ装置ＰＣ１〜ＰＣｎを利用するユーザ、および、ネットワークネットワークファクシミリ装置ＦＸに対して、周知の電子メールの収集および配布のサービスを提供するものである。
【００３４】
また、パーソナルコンピュータ装置ＰＣ１〜ＰＣｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００３５】
また、ネットワークファクシミリ装置ＦＸは、画情報や各種レポートなどを電子メールとしてやりとりするための電子メール処理機能、および、アナログ公衆網ＰＳＴＮに接続し、この公衆網を伝送路として用いてグループ３ファクシミリ伝送手順による画情報伝送を行う伝送機能を備えている。
【００３６】
図２は、ネットワークファクシミリ装置ＦＸの構成例を示している。
【００３７】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００３８】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００３９】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００４０】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００４１】
網制御装置１１は、このファクシミリ装置をアナログ公衆網ＰＳＴＮに接続するためのものであり、自動発着信機能を備えている。
【００４２】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００４３】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００４４】
また、網制御装置１１とグループ３ファクシミリモデム１０との間のデータのやりとりは、直接行なわれている。
【００４５】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００４６】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００４７】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００４８】
そして、ネットワークファクシミリ装置ＦＸは、読み取った原稿画像を公衆網ＰＳＴＮを介して他のグループ３ファクシミリ装置へ、または、ローカルエリアネットワークＬＡＮ（さらには、インターネット）を介してパーソナルコンピュータ装置ＰＣ１〜ＰＣｎのユーザや他のネットワークファクシミリ装置ＦＸへ送信するとともに、アナログ公衆網ＰＳＴＮを介して他のグループ３ファクシミリ装置より受信した画情報を、そのときに指定されたサブアドレスに対応したユーザに対して、電子メールを用いて転送したり、あるいは、ローカルエリアネットワークＬＡＮのパーソナルコンピュータＰＣより所定のコマンドを適用して受信した画情報を、指定されたアナログ公衆網ＰＳＴＮのグループ３ファクシミリ装置へ転送する転送サービス機能等を備えている。
【００４９】
また、自端末宛に受信した電子メールについては、本文情報に配置される画情報を取り出して、記録出力するようにしている。
【００５０】
ここに、ファクシミリ画情報はバイナリデータであり、電子メールには、直接バイナリデータを含ませることができないので、所定の変換方法（例えば、Ｂａｓｅ６４符号化方法）を適用して可読情報（７ビットのキャラクタコード）に変換した状態で、電子メールに含められる。このような電子メールの本文情報の形式をＭＩＭＥ形式という。
【００５１】
本実施例においては、ファクシミリ画情報を運ぶ電子メールは、ＭＩＭＥ形式において、複数の本文パートを持つマルチパートＭＩＭＥ形式の電子メールが採用される。また、電子メールで運ばれるファクシミリ画情報は、例えば、元の画像データをＭＨ符号化で圧縮し、それをＴＩＦＦ−Ｆフォーマットへ変換したものであり、したがって、ＭＩＭＥエンコードデータとしては、このＴＩＦＦ−ＦデータをＭＩＭＥ変換したものが配置される。
【００５２】
ここで、ＴＩＦＦ−Ｆフォーマットでは、複数ページの画像データを１つのファイルとしてまとめることができるので、１つのバイナリパート部に、複数ページからなる１つの送信画情報ファイルのデータを配置することができる。
【００５３】
さて、ネットワークファクシミリ装置ＦＸは、複数の中継機能を備えている。その中継機能の１つは、メモリ転送機能である。このメモリ転送機能とは、アナログ公衆網ＰＳＴＮからの着呼を検出し、ファクシミリ受信動作を行う際、伝送前手順で発呼側より通知された識別情報が特定のものである場合、あるいは、特定のもの以外の場合、画情報を受信して蓄積し、その識別情報に登録されている転送宛先へ転送するという機能である。
【００５４】
このメモリ転送機能において参照されるメモリ転送情報テーブルの一例を図３（ａ）に示す。このメモリ転送情報テーブルは、メモリ転送情報機能の動作モードを指定するためのモードフラグと、複数の転送情報からなる。また、それぞれの転送情報は、同図（ｂ）に示すように、転送宛先情報（電話番号）と、１つ以上の特定宛先情報からなる。また、この場合、特定宛先情報には、相手端末のＲＴＩまたはＣＳＩが登録される。
【００５５】
また、モードフラグが「特定相手のみ」に設定されている場合には、相手端末から通知されたＲＴＩまたはＣＳＩが、特定宛先情報に登録されていれば、その特定宛先情報が登録されている転送情報の転送宛先情報を転送宛先として設定する。また、相手端末から通知されたＲＴＩまたはＣＳＩが、複数の転送情報の特定宛先情報に登録されている場合には、それぞれの転送情報に登録されている転送宛先情報を取り出し、その複数の転送宛先情報を転送宛先として適用する。
【００５６】
また、このネットワークファクシミリ装置ＦＸには、ダイアル機能として、ワンタッチダイアル機能、短縮ダイアル機能、および、グループダイアル機能が設けられている。
【００５７】
ワンタッチダイアル機能において参照されるワンタッチダイアルテーブルの一例を図４（ａ）に示す。このワンタッチダイアルテーブルは、複数のワンタッチ番号情報からなり、それぞれのワンタッチ番号情報は、同図（ｂ）に示すように、ワンタッチダイアル番号と、登録された電話番号からなる。
【００５８】
また、短縮ダイアル機能において参照される短縮ダイアルテーブルの一例を図５（ａ）に示す。この短縮ダイアルテーブルは、複数の短縮ダイアル番号情報からなり、それぞれの短縮ダイアル番号情報は、同図（ｂ）に示すように、短縮ダイアル番号と、登録された電話番号からなる。
【００５９】
また、グループダイアル機能において参照されるグループダイアルテーブル（図示略）は、それぞれのグループダイアル番号と、そのグループダイアル番号に登録された１つ以上のワンタッチダイアル番号または短縮ダイアル番号からなる。
【００６０】
また、このネットワークファクシミリ装置ＦＸは、いわゆるＦコード機能を備えており、それぞれのＦコードに対応した受信ボックスが設けられている。おのおのの受信ボックスは、例えば、中継受信ボックスや親展受信ボックスとして機能し、それぞれの受信ボックスを管理するためのボックス管理情報は、図６に示すように、それぞれの受信ボックスを識別するためのボックスＩＤ（Ｆコード値）、当該受信ボックスがどの機能（例えば、中継受信ボックス、親展受信ボックスなど）を備えるかを示すためのボックス種別情報、および、当該受信ボックスの機能に必要な参照情報を登録したボックス参照情報からなる。
【００６１】
ここで、ボックス参照情報としては、例えば、中継受信ボックスの場合には中継宛先情報などが登録され、また、親展受信ボックスの場合には、親展文書を取り出す際に参照される親展パスワードなどが登録される。
【００６２】
なお、Ｆコード値は、グループ３ファクシミリ伝送手順の手順信号、例えば、信号ＳＵＢなどを用いて、中継依頼側から中継局（すなわち、ネットワークファクシミリ装ＦＸ）へと通知される。
【００６３】
また、このネットワークファクシミリ装置ＦＸに対し、電子メールを用いて中継依頼する方法としては、中継依頼する旨をあらわす指令情報と、中継宛先を指示する中継宛先情報を、例えば、マルチＭＩＭＥ形式における最初のパートと、ヘッダ情報との間に挿入して行う。
【００６４】
ここで、指令情報としては、例えば、「中継局のメールアドレス」、「Ｒｅｌａｙ−ＩＤ」フィールド、および、「Ｒｅｌａｙ」フィールドを適用することができる。また、「中継局のメールアドレス」には、このネットワークファクシミリ装置ＦＸのメールアドレスがセットされ、「Ｒｅｌａｙ−ＩＤ」フィールドには、例えば、所定の識別情報（例えば、「ポーリングＩＤ」など）がセットされ、および、「Ｒｅｌａｙ」フィールドには、中継宛先をあらわす１つ以上のワンタッチダイアル番号、短縮ダイアル番号、または、グループダイアル番号がセットされる。
【００６５】
このネットワークファクシミリ装置ＦＸがアナログ公衆網ＰＳＴＮから着信検出した場合の処理の一例を図７〜９に示す。なお、この場合の中継機能は、上述したもののうち、メモリ転送機能と、Ｆコード転送機能（中継受信ボックス機能）を適用している。
【００６６】
まず、アナログ公衆網ＰＳＴＮから着信検出すると、着信応答し（処理１０１）、所定のグループ３ファクシミリ伝送前手順を実行して、発呼側端末との間で伝送機能等を交渉する（処理１０２）。
【００６７】
次いで、グループ３ファクシミリ伝送前手順において、信号ＳＵＢを受信したかどうかを調べ（判断１０３）、判断１０３の結果がＮＯになるときには、自端末にメモり転送モードがセットされているかどうかを調べる（判断１０４）。
【００６８】
判断１０４の結果がＮＯになるときには、通常のグループ３ファクシミリ伝送手順（受信時）を継続し、画情報を受信し（処理１０５）、受信した画情報を符号化復号化部８により元の画像データへ復号化し、その画像データをプロッタ６へ転送して、受信原稿を記録出力する（処理１０６）。画情報受信を終了すると、所定の伝送後手順を実行し（処理１０７）、回線を復旧して（処理１０８）、このときの受信動作を終了する。
【００６９】
また、メモリ転送モードがセットされている場合で、判断１０４の結果がＹＥＳになるときには、画情報を受信して画像蓄積装置９に蓄積し（処理１０９）、画情報受信を終了すると、所定の伝送後手順を実行し（処理１１０）、回線を復旧する（処理１１１）。
【００７０】
次いで、メモリ転送情報テーブルを検索し、そのときに相手端末から通知されたＲＴＩまたはＣＳＩが特定宛先に登録されている１つ以上の転送情報を取り出し（処理１１２）、その検索により得た転送情報から転送宛先情報を取得する（処理１１３）。
【００７１】
このとき、相手端末から通知されたＲＴＩまたはＣＳＩに基づいた処理１１２，１１３により、転送宛先情報を展開する際にエラーを生じたかどうかを調べる（判断１１４）。
【００７２】
判断１１４の結果がＮＯになるときには、処理１１３で取得した１つ以上の転送宛先情報から転送宛先を１つ選択し（処理１１５）、その転送宛先へ発呼し（処理１１６）、画像蓄積装置９に蓄積した画情報を送信する（処理１１７）。１つの転送宛先への画情報の送信動作（中継送信動作）を終了すると、全ての転送宛先への中継送信動作が終了したかどうかを調べ（判断１１８）、判断１１８の結果がＮＯになるときには、処理１１５へ戻り、残りの転送宛先に対して中継送信動作を実行する。
【００７３】
また、判断１１８の結果がＹＥＳになるときには、そのときの中継送信動作が、全ての中継宛先について正常に終了したかどうかを調べる（判断１１９）。判断１１９の結果がＹＥＳになるときには、中継送信した画情報を自端末で記録出力する旨を設定する自機出力オンがセットされているかどうかを調べる（判断１２０）。
【００７４】
判断１２０の結果がＹＥＳになるときには、画像蓄積装置９に蓄積した画情報を符号化復号化部８により元の画像データへ復号化し（処理１２１）、その画像データをプロッタ６へ転送して、受信原稿を記録出力する（処理１２２）。次いで、記録出力を終了した画情報を画像蓄積装置９から消去して（処理１２３）、一連の中継送信動作を終了する。
【００７５】
また、判断１２０の結果がＮＯになるときには、処理１２１，１２２を実行せず、処理１２３へ移行する。したがって、この場合には、中継送信した画情報の原稿は記録出力されずに、画像蓄積装置９から消去される。
【００７６】
また、そのときの中継送信動作が、いずれか１つ以上の中継宛先について正常に終了しなかった場合で、判断１１９の結果がＮＯになるとき、および、相手端末から通知されたＲＴＩまたはＣＳＩに基づいた処理１１２，１１３により、転送宛先情報を展開する際にエラーを生じた場合で判断１１４の結果がＹＥＳになるときには、依頼された中継送信が失敗した旨を通知する所定の形式の不達レポート（図示略）を作成し（処理１２４）、不達レポートをプロッタ６より記録出力する（処理１２５）。
【００７７】
次いで、画像蓄積装置９に蓄積した画情報を符号化復号化部８により元の画像データへ復号化し（処理１２６）、その画像データをプロッタ６へ転送して、受信原稿を記録出力する（処理１２７）。次いで、処理１２３へ移行し、記録出力を終了した画情報を画像蓄積装置９から消去して、一連の中継送信動作を終了する。
【００７８】
また、伝送前手順で信号ＳＵＢを受信した場合で、判断１０３の結果がＹＥＳになるときには、信号ＳＵＢにより運ばれたＦコード値を抽出して、指定された受信ボックスの種別を判別し（処理１３０）、それが中継受信ボックスであるかどうかを調べる（判断１３１）。判断１３１の結果がＮＯになるときには、そのときに判別した受信ボックスの種別に対応した所定の処理を実行して（処理１３２）、この処理を終了する。
【００７９】
また、指定された受信ボックスが中継受信ボックスであり、判断１３１の結果がＹＥＳになるときには、画情報を受信して画像蓄積装置９に蓄積し（処理１３３）、画情報受信を終了すると、所定の伝送後手順を実行し（処理１３４）、回線を復旧する（処理１３５）。
【００８０】
次いで、対応するボックス管理情報から１つ以上の転送宛先情報を取得し（処理１３６）、その処理１３６により、転送宛先情報を展開する際にエラーを生じたかどうかを調べる（判断１３７）。
【００８１】
判断１３７の結果がＮＯになるときには、処理１３６で取得した１つ以上の転送宛先情報から転送宛先を１つ選択し（処理１３８）、その転送宛先へ発呼し（処理１３９）、画像蓄積装置９に蓄積した画情報を送信する（処理１４０）。１つの転送宛先への画情報の送信動作（中継送信動作）を終了すると、全ての転送宛先への中継送信動作が終了したかどうかを調べ（判断１４１）、判断１４１の結果がＮＯになるときには、処理１３８へ戻り、残りの転送宛先に対して中継送信動作を実行する。
【００８２】
また、判断１４１の結果がＹＥＳになるときには、判断１１９へ移行し、中継送信動作の結果に応じた処理を実行する。また、判断１３７の結果がＹＥＳになるときには、処理１２４へ移行し、中継宛先情報の展開エラーを生じた際に実行する動作を行う。
【００８３】
このようにして、本実施例では、他のグループ３ファクシミリ装置などから中継依頼がされた場合、そのときの中継送信動作が、全ての中継宛先について正常に終了しなかったとき、あるいは、相手端末から通知されたＲＴＩまたはＣＳＩに基づいて転送宛先情報を展開する際にエラーを生じたときには、不達レポートが作成されて記録出力されるとともに、中継送信にかかる画情報の原稿が記録出力されるので、ネットワークファクシミリ装置ＦＸのユーザは、依頼された中継送信を手動で継続実行することができ、非常に便利である。
【００８４】
図１０および図１１は、このネットワークファクシミリ装置ＦＸが電子メールを受信するときに実行する処理の一例を示している。
【００８５】
電子メールの受信時刻になると（判断２０１の結果がＹＥＳ）、ＰＯＰサーバーへログインして（処理２０２）、自端末宛の電子メールが受信されているかどうかを問い合わせ（処理２０３）、受信電子メールがある場合には（判断２０４の結果がＹＥＳ）、ＰＯＰサーバから受信電子メールを全て取得する（処理２０５）。また、受信電子メールがない場合で、判断２０４の結果がＮＯになるときには、判断２０１へ戻り、次の電子メールの受信時刻まで待機する。なお、電子メールの受信時刻は、例えば、３０分間隔で電子メールを受信するように設定されている場合には、処理２０２でＰＯＰサーバへログインしてから３０分経過後の時刻に設定される。
【００８６】
次いで、取得した電子メールを１つ選択し（処理２０６）、中継指示情報が含まれているかどうかを調べる（判断２０７）。中継指示情報が含まれていない場合で、判断２０７の結果がＮＯになるときには、電子メールの本文情報の所定のＭＩＭＥパートを画情報へ変換し（処理２０８）、その画情報を符号化復号化部８により元の画像データへ復号化し（処理２０９）、その画像データをプロッタ６へ転送して、受信原稿を記録出力し（処理２１０）、処理した電子メールを消去する（処理２１１）。
【００８７】
次いで、取得した全ての電子メールについて処理を終了したかどうかを調べ（判断２１２）、判断２１２の結果がＮＯになるときには、処理２０６へ戻って残りの電子メールの処理を行う。また、判断２１２の結果がＹＥＳになるときには、判断２０１へ戻り、電子メールの受信動作を行う。
【００８８】
また、電子メールに中継指示情報が含まれている場合で、判断２０７の結果がＹＥＳになるときには、電子メールの本文情報の所定のＭＩＭＥパートを画情報へ変換して画像蓄積装置９へ一旦蓄積する（処理２１５）、中継指示情報の中継宛先情報から中継宛先の電話番号を取得する（処理２１６）。
【００８９】
ここで、処理２１６を実行した際に、中継宛先の電話番号の展開時にエラーが生じたかどうかを調べる（判断２１７）。判断２１７の結果がＮＯになるときには、処理２１６で取得した１つ以上の転送宛先情報から転送宛先を１つ選択し（処理２１８）、その転送宛先へ発呼し（処理２１９）、処理２１５で得て画像蓄積装置９に蓄積した画情報を送信する（処理２２０）。１つの転送宛先への画情報の送信動作（中継送信動作）を終了すると、全ての転送宛先への中継送信動作が終了したかどうかを調べ（判断２２１）、判断２２１の結果がＮＯになるときには、処理２１８へ戻り、残りの転送宛先に対して中継送信動作を実行する。
【００９０】
また、判断２２１の結果がＹＥＳになるときには、そのときの中継送信動作が、全ての中継宛先について正常に終了したかどうかを調べる（判断２２２）。判断２２２の結果がＹＥＳになるときには、中継送信した画情報を自端末で記録出力する旨を設定する自機出力オンがセットされているかどうかを調べる（判断２２３）。
【００９１】
判断２２３の結果がＹＥＳになるときには、処理２１５で得て画像蓄積装置９に蓄積した画情報を符号化復号化部８により元の画像データへ復号化し（処理２２４）、その画像データをプロッタ６へ転送して、受信原稿を記録出力する（処理２２５）。次いで、記録出力を終了した画情報を画像蓄積装置９から消去する（処理２２６）。これにより、１つの電子メールに対する処理を終了したので、判断２１２へ移行し、残りの受信電子メールがあるかどうかを調べ、それ以降の処理を実行する。
【００９２】
また、判断２２３の結果がＮＯになるときには、処理２２４，２２５を実行せず、処理２２６へ移行する。したがって、この場合には、中継送信した画情報の原稿は記録出力されずに、画像蓄積装置９から消去される。
【００９３】
また、そのときの中継送信動作が、いずれか１つ以上の中継宛先について正常に終了しなかった場合で、判断２２２の結果がＮＯになるとき、および、中継指示情報の中継宛先情報から中継宛先の電話番号を取得する際にエラーを生じた場合で判断２１７の結果がＹＥＳになるときには、依頼された中継送信が失敗した旨を通知する所定の形式の不達レポート（図示略）を作成し（処理２２７）、不達レポートをプロッタ６より記録出力する（処理２２８）。
【００９４】
次いで、処理２１５で得て画像蓄積装置９に蓄積した画情報を符号化復号化部８により元の画像データへ復号化し（処理２２９）、その画像データをプロッタ６へ転送して、受信原稿を記録出力する（処理２３０）。次いで、処理２２６へ移行し、記録出力を終了した画情報を画像蓄積装置９から消去し、それ以降の処理を実行する。
【００９５】
このようにして、本実施例では、電子メールにより中継依頼がされた場合、そのときの中継送信動作が、全ての中継宛先について正常に終了しなかったとき、あるいは、指示された転送宛先情報を展開する際にエラーを生じたときには、不達レポートが作成されて記録出力されるとともに、中継送信にかかる画情報の原稿が記録出力されるので、ネットワークファクシミリ装置ＦＸのユーザは、依頼された中継送信を手動で継続実行することができ、非常に便利である。
【００９６】
図１２は、パーソナルコンピュータ装置ＰＣ１〜ＰＣｎから、所定の中継指示のコマンドと、画情報を受信した場合の処理の一例を示している。
【００９７】
この場合、まず、パーソナルコンピュータ装置ＰＣ１〜ＰＣｎより受信したデータを保存し（処理３０１）、受信したデータから中継宛先の情報を認識して、対応する電話番号を取得する（処理３０２）。また、処理３０１において、受信した画情報は画像蓄積装置９へ蓄積される。
【００９８】
ここで、処理３０２を実行した際に、中継宛先の電話番号の展開時にエラーが生じたかどうかを調べる（判断３０３）。判断３０３の結果がＮＯになるときには、処理３０２で取得した１つ以上の転送宛先情報から転送宛先を１つ選択し（処理３０４）、その転送宛先へ発呼し（処理３０５）、画像蓄積装置９に蓄積した画情報を送信する（処理３０６）。１つの転送宛先への画情報の送信動作（中継送信動作）を終了すると、全ての転送宛先への中継送信動作が終了したかどうかを調べ（判断３０７）、判断３０７の結果がＮＯになるときには、処理３０４へ戻り、残りの転送宛先に対して中継送信動作を実行する。
【００９９】
また、判断３０７の結果がＹＥＳになるときには、そのときの中継送信動作が、全ての中継宛先について正常に終了したかどうかを調べる（判断３０８）。判断３０８の結果がＹＥＳになるときには、中継送信した画情報を自端末で記録出力する旨を設定する自機出力オンがセットされているかどうかを調べる（判断３０９）。
【０１００】
判断３０９の結果がＹＥＳになるときには、画像蓄積装置９に蓄積した画情報を符号化復号化部８により元の画像データへ復号化し（処理３１０）、その画像データをプロッタ６へ転送して、受信原稿を記録出力する（処理３１１）。次いで、記録出力を終了した画情報を画像蓄積装置９から消去して（処理３１２）、このときの中継送信動作を終了する。
【０１０１】
また、判断３０９の結果がＮＯになるときには、処理３１０，３１１を実行せず、処理３１２へ移行する。したがって、この場合には、中継送信した画情報の原稿は記録出力されずに、画像蓄積装置９から消去される。
【０１０２】
また、そのときの中継送信動作が、いずれか１つ以上の中継宛先について正常に終了しなかった場合で、判断３０８の結果がＮＯになるとき、および、処理３０２において中継宛先の電話番号を取得する際にエラーを生じた場合で判断３０３の結果がＹＥＳになるときには、依頼された中継送信が失敗した旨を通知する所定の形式の不達レポート（図示略）を作成し（処理３１３）、不達レポートをプロッタ６より記録出力する（処理３１４）。
【０１０３】
次いで、画像蓄積装置９に蓄積した画情報を符号化復号化部８により元の画像データへ復号化し（処理３１５）、その画像データをプロッタ６へ転送して、受信原稿を記録出力する（処理３１６）。次いで、処理２２６へ移行し、記録出力を終了した画情報を画像蓄積装置９から消去して、このときの中継送信動作を終了する。
【０１０４】
このようにして、本実施例では、パーソナルコンピュータ装置ＰＣ１〜ＰＣｎから中継指示がされた場合、そのときの中継送信動作が、全ての中継宛先について正常に終了しなかったとき、あるいは、指示された転送宛先情報を展開する際にエラーを生じたときには、不達レポートが作成されて記録出力されるとともに、中継送信にかかる画情報の原稿が記録出力されるので、ネットワークファクシミリ装置ＦＸのユーザは、依頼された中継送信を手動で継続実行することができ、非常に便利である。
【０１０５】
ところで、上述した実施例では、中継宛先への画情報送信が正常に終了しなかった場合などで不達になった場合には、不達レポートを作成して出力するとともに、中継画情報の原稿を記録出力するようにしているが、中継依頼側から指定された中継宛先の情報が誤っていた場合には、中継宛先を修正することで、中継送信動作を継続することができる。
【０１０６】
そのためには、例えば、中継送信が不達になった旨を警報表示してユーザへ通知し、そのときに指示された中継宛先情報を表示して、ユーザに修正操作させ留用にするとよい。
【０１０７】
この場合に、このネットワークファクシミリ装置ＦＸがアナログ公衆網ＰＳＴＮから着信検出した場合の処理の一例を図１３〜１５に示す。なお、この場合の中継機能は、上述したもののうち、メモリ転送機能と、Ｆコード転送機能（中継受信ボックス機能）を適用している。
【０１０８】
まず、アナログ公衆網ＰＳＴＮから着信検出すると、着信応答し（処理４０１）、所定のグループ３ファクシミリ伝送前手順を実行して、発呼側端末との間で伝送機能等を交渉する（処理４０２）。
【０１０９】
次いで、グループ３ファクシミリ伝送前手順において、信号ＳＵＢを受信したかどうかを調べ（判断４０３）、判断４０３の結果がＮＯになるときには、自端末にメモり転送モードがセットされているかどうかを調べる（判断４０４）。
【０１１０】
判断４０４の結果がＮＯになるときには、通常のグループ３ファクシミリ伝送手順（受信時）を継続し、画情報を受信し（処理４０５）、受信した画情報を符号化復号化部８により元の画像データへ復号化し、その画像データをプロッタ６へ転送して、受信原稿を記録出力する（処理４０６）。画情報受信を終了すると、所定の伝送後手順を実行し（処理４０７）、回線を復旧して（処理４０８）、このときの受信動作を終了する。
【０１１１】
また、メモリ転送モードがセットされている場合で、判断４０４の結果がＹＥＳになるときには、画情報を受信して画像蓄積装置９に蓄積し（処理４０９）、画情報受信を終了すると、所定の伝送後手順を実行し（処理４１０）、回線を復旧する（処理４１１）。
【０１１２】
次いで、メモリ転送情報テーブルを検索し、そのときに相手端末から通知されたＲＴＩまたはＣＳＩが特定宛先に登録されている１つ以上の転送情報を取り出し（処理４１２）、その検索により得た転送情報から転送宛先情報を取得する（処理４１３）。
【０１１３】
このとき、相手端末から通知されたＲＴＩまたはＣＳＩに基づいた処理４１２，４１３により、転送宛先情報を展開する際にエラーを生じたかどうかを調べる（判断４１４）。
【０１１４】
判断４１４の結果がＮＯになるときには、処理４１３で取得した１つ以上の転送宛先情報から転送宛先を１つ選択し（処理４１５）、その転送宛先へ発呼し（処理４１６）、画像蓄積装置９に蓄積した画情報を送信する（処理４１７）。１つの転送宛先への画情報の送信動作（中継送信動作）を終了すると、全ての転送宛先への中継送信動作が終了したかどうかを調べ（判断４１８）、判断４１８の結果がＮＯになるときには、処理４１５へ戻り、残りの転送宛先に対して中継送信動作を実行する。
【０１１５】
また、判断４１８の結果がＹＥＳになるときには、そのときの中継送信動作が、全ての中継宛先について正常に終了したかどうかを調べる（判断４１９）。判断４１９の結果がＹＥＳになるときには、中継送信した画情報を自端末で記録出力する旨を設定する自機出力オンがセットされているかどうかを調べる（判断４２０）。
【０１１６】
判断４２０の結果がＹＥＳになるときには、画像蓄積装置９に蓄積した画情報を符号化復号化部８により元の画像データへ復号化し（処理４２１）、その画像データをプロッタ６へ転送して、受信原稿を記録出力する（処理４２２）。次いで、記録出力を終了した画情報を画像蓄積装置９から消去して（処理４２３）、一連の中継送信動作を終了する。
【０１１７】
また、判断４２０の結果がＮＯになるときには、処理４２１，４２２を実行せず、処理４２３へ移行する。したがって、この場合には、中継送信した画情報の原稿は記録出力されずに、画像蓄積装置９から消去される。
【０１１８】
また、そのときの中継送信動作が、いずれか１つ以上の中継宛先について正常に終了しなかった場合で、判断４１９の結果がＮＯになるとき、および、相手端末から通知されたＲＴＩまたはＣＳＩに基づいた処理４１２，４１３により、転送宛先情報を展開する際にエラーを生じた場合で判断４１４の結果がＹＥＳになるときには、依頼された中継送信が失敗した旨を通知する所定の形式の不達レポート（図示略）を作成し（処理４２４）、不達レポートをプロッタ６より記録出力する（処理４２５）。
【０１１９】
次いで、画像蓄積装置９に蓄積した画情報を符号化復号化部８により元の画像データへ復号化し（処理４２６）、その画像データをプロッタ６へ転送して、受信原稿を記録出力する（処理４２７）。
【０１２０】
次いで、依頼された中継送信が正常に終了しなかった旨を表す不達表示を操作表示部７に警報表示し（処理４２８）、ユーザからの確認操作を待つ（判断４２９のＮＯループ）。
【０１２１】
ユーザが確認操作をした場合で、判断４２９の結果がＹＥＳになると、そのときに適用した中継宛先の電話番号を表示して、ユーザに対し、宛先を対話操作にて修正させる（処理４３０）。この処理４３０を終了すると、処理４１５へ戻り、再度中継送信動作を行う。
【０１２２】
また、伝送前手順で信号ＳＵＢを受信した場合で、判断４０３の結果がＹＥＳになるときには、信号ＳＵＢにより運ばれたＦコード値を抽出して、指定された受信ボックスの種別を判別し（処理４３０）、それが中継受信ボックスであるかどうかを調べる（判断４３１）。判断４３１の結果がＮＯになるときには、そのときに判別した受信ボックスの種別に対応した所定の処理を実行して（処理４３２）、この処理を終了する。
【０１２３】
また、指定された受信ボックスが中継受信ボックスであり、判断４３１の結果がＹＥＳになるときには、画情報を受信して画像蓄積装置９に蓄積し（処理４３３）、画情報受信を終了すると、所定の伝送後手順を実行し（処理４３４）、回線を復旧する（処理４３５）。
【０１２４】
次いで、対応するボックス管理情報から１つ以上の転送宛先情報を取得し（処理４３６）、その処理４３６により、転送宛先情報を展開する際にエラーを生じたかどうかを調べる（判断４３７）。
【０１２５】
判断４３７の結果がＮＯになるときには、処理４３６で取得した１つ以上の転送宛先情報から転送宛先を１つ選択し（処理４３８）、その転送宛先へ発呼し（処理４３９）、画像蓄積装置９に蓄積した画情報を送信する（処理４４０）。１つの転送宛先への画情報の送信動作（中継送信動作）を終了すると、全ての転送宛先への中継送信動作が終了したかどうかを調べ（判断４４１）、判断４４１の結果がＮＯになるときには、処理４３８へ戻り、残りの転送宛先に対して中継送信動作を実行する。
【０１２６】
また、判断４４１の結果がＹＥＳになるときには、判断４１９へ移行し、中継送信動作の結果に応じた処理を実行する。また、判断４３７の結果がＹＥＳになるときには、処理４２４へ移行し、中継宛先情報の展開エラーを生じた際に実行する動作を行う。
【０１２７】
このようにして、本実施例では、他のグループ３ファクシミリ装置などから中継依頼がされた場合、そのときの中継送信動作が、全ての中継宛先について正常に終了しなかったとき、あるいは、相手端末から通知されたＲＴＩまたはＣＳＩに基づいて転送宛先情報を展開する際にエラーを生じたときには、不達レポートが作成されて記録出力されるとともに、中継送信にかかる画情報の原稿が記録出力されるので、ネットワークファクシミリ装置ＦＸのユーザは、依頼された中継送信を手動で継続実行することができ、非常に便利である。
【０１２８】
また、中継送信動作が不達になった場合、その中継送信操作にかかる画情報を蓄積したまま、中継宛先を修正した後に、再度中継送信動作を行うので、ユーザの手間がより軽減される。
【０１２９】
図１６および図１７は、この場合に、このネットワークファクシミリ装置ＦＸが電子メールを受信するときに実行する処理の一例を示している。
【０１３０】
電子メールの受信時刻になると（判断５０１の結果がＹＥＳ）、ＰＯＰサーバーへログインして（処理５０２）、自端末宛の電子メールが受信されているかどうかを問い合わせ（処理５０３）、受信電子メールがある場合には（判断５０４の結果がＹＥＳ）、ＰＯＰサーバから受信電子メールを全て取得する（処理５０５）。また、受信電子メールがない場合で、判断５０４の結果がＮＯになるときには、判断５０１へ戻り、次の電子メールの受信時刻まで待機する。なお、電子メールの受信時刻は、例えば、３０分間隔で電子メールを受信するように設定されている場合には、処理５０２でＰＯＰサーバへログインしてから３０分経過後の時刻に設定される。
【０１３１】
次いで、取得した電子メールを１つ選択し（処理５０６）、中継指示情報が含まれているかどうかを調べる（判断５０７）。中継指示情報が含まれていない場合で、判断５０７の結果がＮＯになるときには、電子メールの本文情報の所定のＭＩＭＥパートを画情報へ変換し（処理５０８）、その画情報を符号化復号化部８により元の画像データへ復号化し（処理５０９）、その画像データをプロッタ６へ転送して、受信原稿を記録出力し（処理５１０）、処理した電子メールを消去する（処理５１１）。
【０１３２】
次いで、取得した全ての電子メールについて処理を終了したかどうかを調べ（判断５１２）、判断５１２の結果がＮＯになるときには、処理５０６へ戻って残りの電子メールの処理を行う。また、判断５１２の結果がＹＥＳになるときには、判断５０１へ戻り、電子メールの受信動作を行う。
【０１３３】
また、電子メールに中継指示情報が含まれている場合で、判断５０７の結果がＹＥＳになるときには、電子メールの本文情報の所定のＭＩＭＥパートを画情報へ変換して画像蓄積装置９へ一旦蓄積する（処理５１５）、中継指示情報の中継宛先情報から中継宛先の電話番号を取得する（処理５１６）。
【０１３４】
ここで、処理５１６を実行した際に、中継宛先の電話番号の展開時にエラーが生じたかどうかを調べる（判断５１７）。判断５１７の結果がＮＯになるときには、処理５１６で取得した１つ以上の転送宛先情報から転送宛先を１つ選択し（処理５１８）、その転送宛先へ発呼し（処理５１９）、処理５１５で得て画像蓄積装置９に蓄積した画情報を送信する（処理５２０）。１つの転送宛先への画情報の送信動作（中継送信動作）を終了すると、全ての転送宛先への中継送信動作が終了したかどうかを調べ（判断５２１）、判断５２１の結果がＮＯになるときには、処理５１８へ戻り、残りの転送宛先に対して中継送信動作を実行する。
【０１３５】
また、判断５３１の結果がＹＥＳになるときには、そのときの中継送信動作が、全ての中継宛先について正常に終了したかどうかを調べる（判断５２２）。判断５２２の結果がＹＥＳになるときには、中継送信した画情報を自端末で記録出力する旨を設定する自機出力オンがセットされているかどうかを調べる（判断５２３）。
【０１３６】
判断５２３の結果がＹＥＳになるときには、処理５１５で得て画像蓄積装置９に蓄積した画情報を符号化復号化部８により元の画像データへ復号化し（処理５２４）、その画像データをプロッタ６へ転送して、受信原稿を記録出力する（処理５２５）。次いで、記録出力を終了した画情報を画像蓄積装置９から消去する（処理５２６）。これにより、１つの電子メールに対する処理を終了したので、判断５１２へ移行し、残りの受信電子メールがあるかどうかを調べ、それ以降の処理を実行する。
【０１３７】
また、判断５２３の結果がＮＯになるときには、処理５２４，５２５を実行せず、処理５２６へ移行する。したがって、この場合には、中継送信した画情報の原稿は記録出力されずに、画像蓄積装置９から消去される。
【０１３８】
また、そのときの中継送信動作が、いずれか１つ以上の中継宛先について正常に終了しなかった場合で、判断５２２の結果がＮＯになるとき、および、中継指示情報の中継宛先情報から中継宛先の電話番号を取得する際にエラーを生じた場合で判断５１７の結果がＹＥＳになるときには、依頼された中継送信が失敗した旨を通知する所定の形式の不達レポート（図示略）を作成し（処理５２７）、不達レポートをプロッタ６より記録出力する（処理５２８）。
【０１３９】
次いで、処理５１５で得て画像蓄積装置９に蓄積した画情報を符号化復号化部８により元の画像データへ復号化し、その画像データをプロッタ６へ転送して、受信原稿を記録出力する（処理５２９）。
【０１４０】
次に、依頼された中継送信が正常に終了しなかった旨を表す不達表示を操作表示部７に警報表示し（処理５３０）、ユーザからの確認操作を待つ（判断５３１のＮＯループ）。
【０１４１】
ユーザが確認操作をした場合で、判断５３１の結果がＹＥＳになると、そのときに適用した中継宛先の電話番号を表示して、ユーザに対し、宛先を対話操作にて修正させる（処理５３２）。この処理５３２を終了すると、処理５１８へ戻り、再度中継送信動作を行う。
【０１４２】
このようにして、本実施例では、電子メールにより中継依頼がされた場合、そのときの中継送信動作が、全ての中継宛先について正常に終了しなかったとき、あるいは、指示された転送宛先情報を展開する際にエラーを生じたときには、不達レポートが作成されて記録出力されるとともに、中継送信にかかる画情報の原稿が記録出力されるので、ネットワークファクシミリ装置ＦＸのユーザは、依頼された中継送信を手動で継続実行することができ、非常に便利である。
【０１４３】
また、中継送信動作が不達になった場合、その中継送信操作にかかる画情報を蓄積したまま、中継宛先を修正した後に、再度中継送信動作を行うので、ユーザの手間がより軽減される。
【０１４４】
図１８は、この場合に、パーソナルコンピュータ装置ＰＣ１〜ＰＣｎから、所定の中継指示のコマンドと画情報を受信した場合の処理の一例を示している。
【０１４５】
この場合、まず、パーソナルコンピュータ装置ＰＣ１〜ＰＣｎより受信したデータを保存し（処理６０１）、受信したデータから中継宛先の情報を認識して、対応する電話番号を取得する（処理６０２）。また、処理６０１において、受信した画情報は画像蓄積装置９へ蓄積される。
【０１４６】
ここで、処理６０２を実行した際に、中継宛先の電話番号の展開時にエラーが生じたかどうかを調べる（判断６０３）。判断６０３の結果がＮＯになるときには、処理６０２で取得した１つ以上の転送宛先情報から転送宛先を１つ選択し（処理６０４）、その転送宛先へ発呼し（処理６０５）、画像蓄積装置９に蓄積した画情報を送信する（処理６０６）。１つの転送宛先への画情報の送信動作（中継送信動作）を終了すると、全ての転送宛先への中継送信動作が終了したかどうかを調べ（判断６０７）、判断６０７の結果がＮＯになるときには、処理６０４へ戻り、残りの転送宛先に対して中継送信動作を実行する。
【０１４７】
また、判断６０７の結果がＹＥＳになるときには、そのときの中継送信動作が、全ての中継宛先について正常に終了したかどうかを調べる（判断６０８）。判断６０８の結果がＹＥＳになるときには、中継送信した画情報を自端末で記録出力する旨を設定する自機出力オンがセットされているかどうかを調べる（判断６０９）。
【０１４８】
判断６０９の結果がＹＥＳになるときには、画像蓄積装置９に蓄積した画情報を符号化復号化部８により元の画像データへ復号化し（処理６１０）、その画像データをプロッタ６へ転送して、受信原稿を記録出力する（処理６１１）。次いで、記録出力を終了した画情報を画像蓄積装置９から消去して（処理６１２）、このときの中継送信動作を終了する。
【０１４９】
また、判断６０９の結果がＮＯになるときには、処理６１０，６１１を実行せず、処理６１２へ移行する。したがって、この場合には、中継送信した画情報の原稿は記録出力されずに、画像蓄積装置９から消去される。
【０１５０】
また、そのときの中継送信動作が、いずれか１つ以上の中継宛先について正常に終了しなかった場合で、判断６０８の結果がＮＯになるとき、および、処理６０２において中継宛先の電話番号を取得する際にエラーを生じた場合で判断６０３の結果がＹＥＳになるときには、依頼された中継送信が失敗した旨を通知する所定の形式の不達レポート（図示略）を作成し（処理６１３）、不達レポートをプロッタ６より記録出力する（処理６１４）。
【０１５１】
次いで、画像蓄積装置９に蓄積した画情報を符号化復号化部８により元の画像データへ復号化し、その画像データをプロッタ６へ転送して、受信原稿を記録出力する（処理６１５）。
【０１５２】
次に、依頼された中継送信が正常に終了しなかった旨を表す不達表示を操作表示部７に警報表示し（処理６１６）、ユーザからの確認操作を待つ（判断６１７のＮＯループ）。
【０１５３】
ユーザが確認操作をした場合で、判断６１７の結果がＹＥＳになると、そのときに適用した中継宛先の電話番号を表示して、ユーザに対し、宛先を対話操作にて修正させる（処理６１８）。この処理６１８を終了すると、処理６０４へ戻り、再度中継送信動作を行う。
【０１５４】
このようにして、本実施例では、パーソナルコンピュータ装置ＰＣ１〜ＰＣｎから中継指示がされた場合、そのときの中継送信動作が、全ての中継宛先について正常に終了しなかったとき、あるいは、指示された転送宛先情報を展開する際にエラーを生じたときには、不達レポートが作成されて記録出力されるとともに、中継送信にかかる画情報の原稿が記録出力されるので、ネットワークファクシミリ装置ＦＸのユーザは、依頼された中継送信を手動で継続実行することができ、非常に便利である。
【０１５５】
また、中継送信動作が不達になった場合、その中継送信操作にかかる画情報を蓄積したまま、中継宛先を修正した後に、再度中継送信動作を行うので、ユーザの手間がより軽減される。
【０１５６】
ところで、上述した実施例では、ネットワークファクシミリ装置ＦＸは、ＰＯＰサーバを利用して電子メールを受信しているが、ＳＭＴＰサーバ機能を備えた場合、他のＳＭＴＰサーバより直接電子メールを受信することができる。
【０１５７】
図１９および図２０は、この場合に、このネットワークファクシミリ装置ＦＸが電子メールを受信するときに実行する処理の一例を示している。
【０１５８】
電子メールの受信が通知されると（判断７０１の結果がＹＥＳ）、その電子メールを取得して保存する（処理７０２）。
【０１５９】
次いで、取得した電子メールに中継指示情報が含まれているかどうかを調べる（判断７０３）。中継指示情報が含まれていない場合で、判断７０３の結果がＮＯになるときには、電子メールの本文情報の所定のＭＩＭＥパートを画情報へ変換し（処理７０４）、その画情報を符号化復号化部８により元の画像データへ復号化し（処理７０５）、その画像データをプロッタ６へ転送して、受信原稿を記録出力し（処理７０６）、処理した電子メールを消去する（処理７０７）。
【０１６０】
これで、受信した電子メールの処理が終了したので、判断７０１へ戻り、次の電子メールの受信動作を行う。
【０１６１】
また、電子メールに中継指示情報が含まれている場合で、判断２０７の結果がＹＥＳになるときには、電子メールの本文情報の所定のＭＩＭＥパートを画情報へ変換して画像蓄積装置９へ一旦蓄積する（処理７０８）、中継指示情報の中継宛先情報から中継宛先の電話番号を取得する（処理７０９）。
【０１６２】
ここで、処理７０９を実行した際に、中継宛先の電話番号の展開時にエラーが生じたかどうかを調べる（判断７１０）。判断７１０の結果がＮＯになるときには、処理７０９で取得した１つ以上の転送宛先情報から転送宛先を１つ選択し（処理７１１）、その転送宛先へ発呼し（処理７１２）、処理７０８で得て画像蓄積装置９に蓄積した画情報を送信する（処理７１３）。１つの転送宛先への画情報の送信動作（中継送信動作）を終了すると、全ての転送宛先への中継送信動作が終了したかどうかを調べ（判断７１４）、判断７１４の結果がＮＯになるときには、処理７１１へ戻り、残りの転送宛先に対して中継送信動作を実行する。
【０１６３】
また、判断７１４の結果がＹＥＳになるときには、そのときの中継送信動作が、全ての中継宛先について正常に終了したかどうかを調べる（判断７１５）。判断７１５の結果がＹＥＳになるときには、中継送信した画情報を自端末で記録出力する旨を設定する自機出力オンがセットされているかどうかを調べる（判断７１６）。
【０１６４】
判断７１６の結果がＹＥＳになるときには、処理７０８で得て画像蓄積装置９に蓄積した画情報を符号化復号化部８により元の画像データへ復号化し（処理７１７）、その画像データをプロッタ６へ転送して、受信原稿を記録出力する（処理７１８）。次いで、記録出力を終了した画情報を画像蓄積装置９から消去する（処理７１９）。
【０１６５】
また、判断７１６の結果がＮＯになるときには、処理７１７，７１８を実行せず、処理７１９へ移行する。したがって、この場合には、中継送信した画情報の原稿は記録出力されずに、画像蓄積装置９から消去される。
【０１６６】
また、そのときの中継送信動作が、いずれか１つ以上の中継宛先について正常に終了しなかった場合で、判断７１５の結果がＮＯになるとき、および、中継指示情報の中継宛先情報から中継宛先の電話番号を取得する際にエラーを生じた場合で判断７１０の結果がＹＥＳになるときには、依頼された中継送信が失敗した旨を通知する所定の形式の不達レポート（図示略）を作成し（処理７２０）、不達レポートをプロッタ６より記録出力する（処理７２１）。
【０１６７】
次いで、処理７０８で得て画像蓄積装置９に蓄積した画情報を符号化復号化部８により元の画像データへ復号化し（処理７２２）、その画像データをプロッタ６へ転送して、受信原稿を記録出力する（処理７２３）。次いで、処理７１９へ移行し、記録出力を終了した画情報を画像蓄積装置９から消去する。
【０１６８】
このようにして、本実施例では、電子メールにより中継依頼がされた場合、そのときの中継送信動作が、全ての中継宛先について正常に終了しなかったとき、あるいは、指示された転送宛先情報を展開する際にエラーを生じたときには、不達レポートが作成されて記録出力されるとともに、中継送信にかかる画情報の原稿が記録出力されるので、ネットワークファクシミリ装置ＦＸのユーザは、依頼された中継送信を手動で継続実行することができ、非常に便利である。
【０１６９】
図２１および図２２は、この場合に、このネットワークファクシミリ装置ＦＸが電子メールを受信するときに実行する処理の一例を示している。
【０１７０】
電子メールの受信が通知されると（判断８０１の結果がＹＥＳ）、その電子メールを取得して保存する（処理８０２）。
【０１７１】
次いで、取得した電子メールに中継指示情報が含まれているかどうかを調べる（判断８０３）。中継指示情報が含まれていない場合で、判断８０３の結果がＮＯになるときには、電子メールの本文情報の所定のＭＩＭＥパートを画情報へ変換し（処理８０４）、その画情報を符号化復号化部８により元の画像データへ復号化し（処理８０５）、その画像データをプロッタ６へ転送して、受信原稿を記録出力し（処理８０６）、処理した電子メールを消去する（処理８０７）。
【０１７２】
これで、受信した電子メールの処理が終了したので、判断８０１へ戻り、次の電子メールの受信動作を行う。
【０１７３】
また、電子メールに中継指示情報が含まれている場合で、判断８０３の結果がＹＥＳになるときには、電子メールの本文情報の所定のＭＩＭＥパートを画情報へ変換して画像蓄積装置９へ一旦蓄積する（処理８１０）、中継指示情報の中継宛先情報から中継宛先の電話番号を取得する（処理８１１）。
【０１７４】
ここで、処理８１１を実行した際に、中継宛先の電話番号の展開時にエラーが生じたかどうかを調べる（判断８１２）。判断８１２の結果がＮＯになるときには、処理８１１で取得した１つ以上の転送宛先情報から転送宛先を１つ選択し（処理８１３）、その転送宛先へ発呼し（処理８１４）、処理８１０で得て画像蓄積装置９に蓄積した画情報を送信する（処理８１５）。１つの転送宛先への画情報の送信動作（中継送信動作）を終了すると、全ての転送宛先への中継送信動作が終了したかどうかを調べ（判断８１６）、判断８１６の結果がＮＯになるときには、処理８１３へ戻り、残りの転送宛先に対して中継送信動作を実行する。
【０１７５】
また、判断８１６の結果がＹＥＳになるときには、そのときの中継送信動作が、全ての中継宛先について正常に終了したかどうかを調べる（判断８１７）。判断８１７の結果がＹＥＳになるときには、中継送信した画情報を自端末で記録出力する旨を設定する自機出力オンがセットされているかどうかを調べる（判断８１８）。
【０１７６】
判断８１８の結果がＹＥＳになるときには、処理８１０で得て画像蓄積装置９に蓄積した画情報を符号化復号化部８により元の画像データへ復号化し（処理８１９）、その画像データをプロッタ６へ転送して、受信原稿を記録出力する（処理８２０）。次いで、記録出力を終了した画情報を画像蓄積装置９から消去する（処理８２１）。
【０１７７】
また、判断８１８の結果がＮＯになるときには、処理８１９，８２０を実行せず、処理８２１へ移行する。したがって、この場合には、中継送信した画情報の原稿は記録出力されずに、画像蓄積装置９から消去される。
【０１７８】
また、そのときの中継送信動作が、いずれか１つ以上の中継宛先について正常に終了しなかった場合で、判断８１７の結果がＮＯになるとき、および、中継指示情報の中継宛先情報から中継宛先の電話番号を取得する際にエラーを生じた場合で判断８１２の結果がＹＥＳになるときには、依頼された中継送信が失敗した旨を通知する所定の形式の不達レポート（図示略）を作成し（処理８２２）、不達レポートをプロッタ６より記録出力する（処理８２３）。
【０１７９】
次いで、処理８１０で得て画像蓄積装置９に蓄積した画情報を符号化復号化部８により元の画像データへ復号化し、その画像データをプロッタ６へ転送して、受信原稿を記録出力する（処理８２４）。
【０１８０】
次に、依頼された中継送信が正常に終了しなかった旨を表す不達表示を操作表示部７に警報表示し（処理８２５）、ユーザからの確認操作を待つ（判断８２６のＮＯループ）。
【０１８１】
ユーザが確認操作をした場合で、判断８２６の結果がＹＥＳになると、そのときに適用した中継宛先の電話番号を表示して、ユーザに対し、宛先を対話操作にて修正させる（処理８２７）。この処理８２７を終了すると、処理８１３へ戻り、再度中継送信動作を行う。
【０１８２】
このようにして、本実施例では、電子メールにより中継依頼がされた場合、そのときの中継送信動作が、全ての中継宛先について正常に終了しなかったとき、あるいは、指示された転送宛先情報を展開する際にエラーを生じたときには、不達レポートが作成されて記録出力されるとともに、中継送信にかかる画情報の原稿が記録出力されるので、ネットワークファクシミリ装置ＦＸのユーザは、依頼された中継送信を手動で継続実行することができ、非常に便利である。
【０１８３】
また、中継送信動作が不達になった場合、その中継送信操作にかかる画情報を蓄積したまま、中継宛先を修正した後に、再度中継送信動作を行うので、ユーザの手間がより軽減される。
【０１８４】
なお、上述した実施例では、ネットワークファクシミリ装置ＦＸをアナログ公衆網ＰＳＴＮに接続した場合について説明したが、ネットワークファクシミリ装置ＦＸをデジタル公衆網ＩＳＤＮに接続した場合、または、ネットワークファクシミリ装置ＦＸをアナログ公衆網ＰＳＴＮとデジタル公衆網ＩＳＤＮの両方に接続した場合についても、本発明を同様にして適用することができる。
【０１８５】
また、各中継機能の説明における中継宛先の指定方法や、中継依頼の方法などは、上述したもののほか適宜なものを適用することができる。
【０１８６】
また、上述した実施例では、中継機能として、メモリ転送機能と、Ｆコード転送機能（中継受信ボックス機能）を適用した場合について説明したが、それ以外の中継機能を適用する場合にも、本発明を同様に適用することができる。
【０１８７】
【発明の効果】
以上説明したように、本発明によれば、中継機能を備えたファクシミリ装置において、中継送信時、指定された中継宛先への画情報送信が正常に終了しなかったときには、その中継送信にかかる受信画情報の画像を記録出力するようにしたので、中継送信動作が正常に終了しなかった場合、ファクシミリ装置のユーザは、依頼された中継送信を手動で継続実行するときの手間が軽減され、非常に便利であるという効果を得る。
【０１８８】
また、中継機能を備えたファクシミリ装置において、中継送信時、指定された中継宛先を適切に取得できなかった場合には、その中継送信を行わず、その中継送信にかかる受信画情報の画像を記録出力するようにしたので、中継送信動作が適切に行われなかった場合、ファクシミリ装置のユーザは、依頼された中継送信を手動で継続実行するときの手間が軽減され、非常に便利であるという効果を得る。
【０１８９】
また、中継機能を備えたファクシミリ装置において、中継送信時、指定された中継宛先への画情報送信が正常に終了しなかったときには、その中継送信の中継宛先へ画情報の中継を適切に行えなかった旨を通知するための不達レポートを作成して、その不達レポートを記録出力するとともに、その中継送信にかかる受信画情報の画像を記録出力するようにしたので、中継送信動作が正常に終了しなかった場合、不達レポートが作成されて記録出力されるとともに、中継送信にかかる画情報の原稿が記録出力されるので、ファクシミリ装置のユーザは、依頼された中継送信を手動で継続実行するときの手間を軽減でき、非常に便利である。
【０１９０】
また、中継機能を備えたファクシミリ装置において、中継送信時、指定された中継宛先を適切に取得できなかった場合には、その中継送信を行わず、その中継送信の中継宛先へ画情報の中継を適切に行えなかった旨を通知するための不達レポートを作成して、その不達レポートを記録出力し、その中継送信にかかる受信画情報の画像を記録出力するようにしたので、中継送信動作が適切に行われなかった場合、ファクシミリ装置のユーザは、依頼された中継送信を手動で継続実行するときの手間が軽減され、非常に便利である。
【０１９１】
また、中継機能を備えたファクシミリ装置において、中継送信時、指定された中継宛先への画情報送信が正常に終了しなかったときには、その中継送信にかかる受信画情報を保持し、指定された中継宛先の修正操作をユーザに行わせ、その後、保持した受信画情報を、修正された中継宛先へ中継送信するようにしたので、中継送信動作が正常に終了せずに不達になった場合、再度中継送信動作を行う際のユーザの手間がより軽減されるという効果も得る。
【０１９２】
また、中継機能を備えたファクシミリ装置において、中継送信時、指定された中継宛先を適切に取得できなかった場合には、その中継送信を行わなず、その中継送信にかかる受信画情報を保持し、指定された中継宛先の修正操作をユーザに行わせ、その後、保持した受信画情報を、修正された中継宛先へ中継送信するようにしたので、中継送信動作が適切に行われなかった場合、再度中継送信動作を行う際のユーザの手間がより軽減されるという効果も得る。
【０１９３】
また、ローカルエリアネットワークまたはインターネットに接続され、電子メールを用いて画情報通信を行う機能と、公衆網に接続され、公衆網を介してファクシミリ装置との間で所定のファクシミリ伝送手順を用いてファクシミリデータをやりとりする機能を備えたネットワークファクシミリ装置において、受信した電子メールにより、公衆網を介してファクシミリ装置へ画情報の中継送信が指定された場合、その指定された中継宛先のファクシミリ装置への画情報送信が正常に終了しなかったときには、上記電子メールに含まれる画情報の画像を記録出力するようにしたので、中継送信動作が正常に終了しなかった場合、ネットワークファクシミリ装置のユーザは、依頼された中継送信を手動で継続実行する際の手間が軽減され、非常に便利であるという効果を得る。
【０１９４】
また、ローカルエリアネットワークまたはインターネットに接続され、電子メールを用いて画情報通信を行う機能と、公衆網に接続され、公衆網を介してファクシミリ装置との間で所定のファクシミリ伝送手順を用いてファクシミリデータをやりとりする機能を備えたネットワークファクシミリ装置において、受信した電子メールにより、公衆網を介してファクシミリ装置へ画情報の中継送信が指定された場合、その指定された中継宛先を適切に取得できなかった場合には、その中継送信を行わず、その中継送信にかかる受信画情報の画像を記録出力するようにしたので、中継送信動作が適切に行われなかった場合、ネットワークファクシミリ装置のユーザは、依頼された中継送信を手動で継続実行する際の手間が軽減され、非常に便利であるという効果を得る。
【０１９５】
また、ローカルエリアネットワークまたはインターネットに接続され、電子メールを用いて画情報通信を行う機能と、公衆網に接続され、公衆網を介してファクシミリ装置との間で所定のファクシミリ伝送手順を用いてファクシミリデータをやりとりする機能を備えたネットワークファクシミリ装置において、受信した電子メールにより、公衆網を介してファクシミリ装置へ画情報の中継送信が指定された場合、その指定された中継宛先のファクシミリ装置への画情報送信が正常に終了しなかったときには、その中継宛先へ画情報の送信を適切に行えなかった旨を通知するための不達レポートを作成して、その不達レポートを記録出力し上記電子メールに含まれる画情報の画像を記録出力するようにしたので、中継送信動作が正常に終了しなかった場合、ネットワークファクシミリ装置のユーザは、依頼された中継送信を手動で継続実行する際の手間が軽減され、非常に便利であるという効果も得る。
【０１９６】
また、ローカルエリアネットワークまたはインターネットに接続され、電子メールを用いて画情報通信を行う機能と、公衆網に接続され、公衆網を介してファクシミリ装置との間で所定のファクシミリ伝送手順を用いてファクシミリデータをやりとりする機能を備えたネットワークファクシミリ装置において、受信した電子メールにより、公衆網を介してファクシミリ装置へ画情報の中継送信が指定された場合、その指定された中継宛先を適切に取得できなかった場合には、その中継送信を行わず、その宛先へ画情報の送信を適切に行えなかった旨を通知するための不達レポートを作成して、その不達レポートを記録出力し、その中継送信にかかる受信画情報の画像を記録出力するようにしたので、中継送信動作が正常に終了しなかった場合、ネットワークファクシミリ装置のユーザは、依頼された中継送信を手動で継続実行する際の手間が軽減され、非常に便利である。
【０１９７】
また、ローカルエリアネットワークまたはインターネットに接続され、電子メールを用いて画情報通信を行う機能と、公衆網に接続され、公衆網を介してファクシミリ装置との間で所定のファクシミリ伝送手順を用いてファクシミリデータをやりとりする機能を備えたネットワークファクシミリ装置において、受信した電子メールにより、公衆網を介してファクシミリ装置へ画情報の中継送信が指定された場合、その指定された中継宛先のファクシミリ装置への画情報送信が正常に終了しなかったときには、その中継送信にかかる受信画情報を保持し、指定された中継宛先の修正操作をユーザに行わせ、その後、保持した受信画情報を、修正された中継宛先へ中継送信するようにしたので、中継送信動作が正常に終了せずに不達になった場合、再度中継送信動作を行う際のユーザの手間がより軽減されるという効果も得る。
【０１９８】
また、ローカルエリアネットワークまたはインターネットに接続され、電子メールを用いて画情報通信を行う機能と、公衆網に接続され、公衆網を介してファクシミリ装置との間で所定のファクシミリ伝送手順を用いてファクシミリデータをやりとりする機能を備えたネットワークファクシミリ装置において、受信した電子メールにより、公衆網を介してファクシミリ装置へ画情報の中継送信が指定された場合、その指定された中継宛先を適切に取得できなかった場合には、その中継送信を行わず、その中継送信にかかる受信画情報を保持し、指定された中継宛先の修正操作をユーザに行わせ、その後、保持した受信画情報を、修正された中継宛先へ中継送信するようにしたので、中継送信動作が正常に終了せずに不達になった場合のユーザの手間がより軽減されるという効果も得る。
【０１９９】
また、ローカルエリアネットワークまたはインターネットに接続され、データ処理装置より宛先情報および送信画情報を受信し、受信した宛先情報を適用して公衆網に接続されている宛先ファクシミリ装置へ発呼し、その宛先ファクシミリ装置へ、受信した送信画情報を中継送信する機能を備えたネットワークファクシミリ装置において、指定された上記宛先ファクシミリ装置への画情報送信が正常に終了しなかったときには、その中継送信にかかる画情報の画像を記録出力するようにしたので、中継送信動作が正常に終了せずに不達になった場合、再度中継送信動作を行う際のユーザの手間がより軽減されるという効果も得る。
【０２００】
また、ローカルエリアネットワークまたはインターネットに接続され、データ処理装置より宛先情報および送信画情報を受信し、受信した宛先情報を適用して公衆網に接続されている宛先ファクシミリ装置へ発呼し、その宛先ファクシミリ装置へ、受信した送信画情報を中継送信する機能を備えたネットワークファクシミリ装置において、上記受信した宛先情報に基づいて適切な中継宛先情報を取得できなかった場合には、その中継送信を行わず、その中継送信にかかる画情報の画像を記録出力するようにしたので、中継送信動作が正常に終了せずに不達になった場合、再度中継送信動作を行う際のユーザの手間がより軽減されるという効果も得る。
【０２０１】
また、ローカルエリアネットワークまたはインターネットに接続され、データ処理装置より宛先情報および送信画情報を受信し、受信した宛先情報を適用して公衆網に接続されている宛先ファクシミリ装置へ発呼し、その宛先ファクシミリ装置へ、受信した送信画情報を中継送信する機能を備えたネットワークファクシミリ装置において、指定された上記宛先ファクシミリ装置への画情報送信が正常に終了しなかったときには、その中継送信の中継宛先へ画情報の中継を適切に行えなかった旨を通知するための不達レポートを作成して、その不達レポートを記録出力するとともに、その中継送信にかかる画情報の画像を記録出力するようにしたので、中継送信動作が正常に終了せずに不達になった場合、再度中継送信動作を行う際のユーザの手間がより軽減されるという効果も得る。
【０２０２】
また、ローカルエリアネットワークまたはインターネットに接続され、データ処理装置より宛先情報および送信画情報を受信し、受信した宛先情報を適用して公衆網に接続されている宛先ファクシミリ装置へ発呼し、その宛先ファクシミリ装置へ、受信した送信画情報を中継送信する機能を備えたネットワークファクシミリ装置において、上記受信した宛先情報に基づいて適切な中継宛先情報を取得できなかった場合には、その中継送信を行わず、その中継送信の中継宛先へ画情報の中継を適切に行えなかった旨を通知するための不達レポートを作成して、その不達レポートを記録出力し、その中継送信にかかる画情報の画像を記録出力するようにしたので、中継送信動作が正常に終了せずに不達になった場合、再度中継送信動作を行う際のユーザの手間がより軽減されるという効果も得る。
【０２０３】
また、ローカルエリアネットワークまたはインターネットに接続され、データ処理装置より宛先情報および送信画情報を受信し、受信した宛先情報を適用して公衆網に接続されている宛先ファクシミリ装置へ発呼し、その宛先ファクシミリ装置へ、受信した送信画情報を中継送信する機能を備えたネットワークファクシミリ装置において、指定された上記宛先ファクシミリ装置への画情報送信が正常に終了しなかったときには、その中継送信にかかる画情報を保持し、指定された中継宛先の修正操作をユーザに行わせ、その後、保持した画情報を、修正された中継宛先へ中継送信するようにしたので、中継送信動作が正常に終了せずに不達になった場合、再度中継送信動作を行う際のユーザの手間がより軽減されるという効果も得る。
【０２０４】
また、ローカルエリアネットワークまたはインターネットに接続され、データ処理装置より宛先情報および送信画情報を受信し、受信した宛先情報を適用して公衆網に接続されている宛先ファクシミリ装置へ発呼し、その宛先ファクシミリ装置へ、受信した送信画情報を中継送信する機能を備えたネットワークファクシミリ装置において、上記受信した宛先情報に基づいて適切な中継宛先情報を取得できなかった場合には、その中継送信を行わず、その中継送信にかかる画情報を保持し、指定された中継宛先の修正操作をユーザに行わせ、その後、保持した画情報を、修正された中継宛先へ中継送信するようにしたので、中継送信動作が正常に終了せずに不達になった場合、再度中継送信動作を行う際のユーザの手間がより軽減されるという効果も得る。
【図面の簡単な説明】
【図１】本発明の一実施例にかかるネットワークシステムを示したブロック図。
【図２】ネットワークファクシミリ装置ＦＸの構成例を示したブロック図。
【図３】メモリ転送情報テーブルの一例を示した概略図。
【図４】ワンタッチダイアルテーブルの一例を示した概略図。
【図５】短縮ダイアルテーブルの一例を示した概略図。
【図６】ボックス管理情報の一例を示した概略図。
【図７】ネットワークファクシミリ装置ＦＸがアナログ公衆網ＰＳＴＮから着信検出した場合の処理の一例を示したフローチャート。
【図８】ネットワークファクシミリ装置ＦＸがアナログ公衆網ＰＳＴＮから着信検出した場合の処理の一例を示したフローチャート（続き）。
【図９】ネットワークファクシミリ装置ＦＸがアナログ公衆網ＰＳＴＮから着信検出した場合の処理の一例を示したフローチャート（続き）。
【図１０】ネットワークファクシミリ装置ＦＸが電子メールを受信するときに実行する処理の一例を示したフローチャート。
【図１１】ネットワークファクシミリ装置ＦＸが電子メールを受信するときに実行する処理の一例を示したフローチャート（続き）。
【図１２】パーソナルコンピュータ装置ＰＣ１〜ＰＣｎから、所定の中継指示のコマンドと、画情報を受信した場合の処理の一例を示したフローチャート。
【図１３】ネットワークファクシミリ装置ＦＸがアナログ公衆網ＰＳＴＮから着信検出した場合の処理の他の例を示したフローチャート。
【図１４】ネットワークファクシミリ装置ＦＸがアナログ公衆網ＰＳＴＮから着信検出した場合の処理の他の例を示したフローチャート（続き）。
【図１５】ネットワークファクシミリ装置ＦＸがアナログ公衆網ＰＳＴＮから着信検出した場合の処理の他の例を示したフローチャート（続き）。
【図１６】ネットワークファクシミリ装置ＦＸが電子メールを受信するときに実行する処理の他の例を示したフローチャート。
【図１７】ネットワークファクシミリ装置ＦＸが電子メールを受信するときに実行する処理の他の例を示したフローチャート（続き）。
【図１８】パーソナルコンピュータ装置ＰＣ１〜ＰＣｎから、所定の中継指示のコマンドと、画情報を受信した場合の処理の他の例を示したフローチャート。
【図１９】ネットワークファクシミリ装置ＦＸが電子メールを受信するときに実行する処理のさらに他の例を示したフローチャート。
【図２０】ネットワークファクシミリ装置ＦＸが電子メールを受信するときに実行する処理のさらに他の例を示したフローチャート（続き）。
【図２１】ネットワークファクシミリ装置ＦＸが電子メールを受信するときに実行する処理のまたさらに他の例を示したフローチャート。
【図２２】ネットワークファクシミリ装置ＦＸが電子メールを受信するときに実行する処理のまたさらに他の例を示したフローチャート（続き）。
【符号の説明】
ＦＸ  ネットワークファクシミリ装置
ＳＭ  メールサーバ装置
ＰＣ１〜ＰＣｎ  パーソナルコンピュータ装置
【図１】
0003944602.tif 000002
【図２】
0003944602.tif 000003
【図３】
0003944602.tif 000004
【図４】
0003944602.tif 000005
【図５】
0003944602.tif 000006
【図６】
0003944602.tif 000007
【図７】
0003944602.tif 000008
【図８】
0003944602.tif 000009
【図９】
0003944602.tif 000010
【図１０】
0003944602.tif 000011
【図１１】
0003944602.tif 000012
【図１２】
0003944602.tif 000013
【図１３】
0003944602.tif 000014
【図１４】
0003944602.tif 000015
【図１５】
0003944602.tif 000016
【図１６】
0003944602.tif 000017
【図１７】
0003944602.tif 000018
【図１８】
0003944602.tif 000019
【図１９】
0003944602.tif 000020
【図２０】
0003944602.tif 000021
【図２１】
0003944602.tif 000022
【図２２】
0003944602.tif 000023